(57)【特許請求の範囲】
【請求項１】
少なくとも送信器と受信器を備えるワイヤレス通信システムであって、送信器及び受信器は、データパッケージの同期化状況を監視するための多数の状態変数と第一及び第二データパッケージ連続番号とを用い、前記ワイヤレス通信システムは、AM  RLCリセット工程を行い、
前記送信器は、
（a）AM RLC リセット工程を開始する手段と、
（b）リセット連続番号と、前記送信器の現在の第一データパッケージ連続番号とを備える第一Resetパッケージを、前記受信器に伝送する手段と、
（c）タイムアウト状態が生じた時、前記第一Resetパッケージと同じ前記リセット連続番号と前記第一データパッケージ連続番号とを備える第二Resetパッケージを伝送する手段と、
（d）前記受信器から伝送された、前記第一Resetパッケージと対応する第一Reset  ACKパッケージを受信する手段と、
（e）受信器から伝送された、前記第二Resetパッケージと対応する第二Reset  ACKパッケージを受信する手段と、
（f）前記第一及び前記第二Reset  ACKパッケージに基づいて、前記送信器の状態変数をアップデートし、前記第一データパッケージ連続番号を第二データパッケージ連続番号にアップデートする手段と、
からなることを特徴とするワイヤレス通信システム。
【請求項２】
少なくとも送信器と受信器を備えるワイヤレス通信システムであって、送信器及び受信器は、データパッケージの同期化状況を監視するための多数の状態変数と第一及び第二データパッケージ連続番号とを用い、前記ワイヤレス通信システムは、AM  RLCリセット工程を行い、
前記受信器は、
（a）前記送信器から前記第一及び前記第二Resetパッケージを受信する手段と、
（b）受信した前記Resetパッケージが、前記第一或いは前記第二Resetパッケージなのかを識別する手段と、
（c）前記第一或いは前記第二Resetパッケージの識別結果に基づいて、前記受信器の状態変数をアップデートし、前記第一データパッケージ連続番号を第二データパッケージ連続番号にアップデートする手段と、
（d）同じ前記リセット連続番号、及び前記受信器のアップデートされた前記第二データパッケージ連続番号を備える、対応するReset  ACKパッケージを、前記送信器に戻す手段と、
からなることを特徴とするワイヤレス通信システム。
【請求項３】
少なくとも送信器と受信器を備えるワイヤレス通信システムであって、送信器及び受信器は、データパッケージの同期化状況を監視するための多数の状態変数と第一及び第二データパッケージ連続番号とを用い、前記ワイヤレス通信システムは、AM  RLCリセット工程を行い、
前記送信器は、
（a）AM RLC リセット工程を開始する手段と、
（b）リセット連続番号と、前記送信器の現在の第一データパッケージ連続番号とを備える第一Resetパッケージを、前記受信器に伝送する手段と、
（c）タイムアウト状態が生じた時、前記第一Resetパッケージと同じ前記リセット連続番号と前記第一データパッケージ連続番号とを備える第二Resetパッケージを伝送する手段と、
（d）前記受信器から伝送された、前記第一Resetパッケージと対応する第一Reset  ACKパッケージを受信する手段と、
（e）受信器から伝送された、前記第二Resetパッケージと対応する第二Reset  ACKパッケージを受信する手段と、
（f）前記第一及び前記第二Reset  ACKパッケージに基づいて、前記送信器の状態変数をアップデートし前記第一データパッケージ連続番号を第二データパッケージ連続番号にアップデートする手段と、
からなり、
前記受信器は、
（a）前記送信器から前記第一及び前記第二Resetパッケージを受信する手段と、
（b）受信した前記Resetパッケージが、前記第一或いは前記第二Resetパッケージなのかを識別する手段と、
（c）前記第一或いは前記第二Resetパッケージの識別結果に基づいて、前記受信器の状態変数をアップデートし、前記第一データパッケージ連続番号を第二データパッケージ連続番号にアップデートする手段と、
（d）同じ前記リセット連続番号、及び前記受信器のアップデートされた前記第二データパッケージ連続番号を備える、対応するReset  ACKパッケージを、前記送信器に戻す手段と、
からなることを特徴とするワイヤレス通信システム。
【請求項４】
前記送信器はUEで、前記受信器はUTRANであることを特徴とする請求項３に記載のワイヤレス通信システム。
【請求項５】
前記送信器はUTRAN,前記受信器はUEであることを特徴とする請求項３に記載のワイヤレス通信システム。
【請求項６】
受信器の状態変数、前記第一データパッケージ連続番号をアップデートする手段において、前記受信器は更に、
（a）前記第一Resetパッケージを受信する時、前記送信器自身の前記状態変数と前記第一データパッケージ連続番号をアップデートさせる手段と、
（b）前記第二Resetパッケージを受信する時、前記受信器の前記状態変数、前記第二データパッケージ連続番号を、前記第一Resetパッケージを受信したときと同じ状態に維持する手段と、
を備えることを特徴とする請求項３に記載のワイヤレス通信システム。
【請求項７】
送信器の状態変数、前記第一データパッケージ連続番号をアップデートする手段は、更に、
（a）前記第一或いは前記第二Resetパッケージを受信する時、前記状態変数をリセットする手段と、
（b）受信した前記Reset  ACK  PDUに基づいて、前記送信器の前記第一データパッケージ連続番号をアップデートする手段と、
からなることを特徴とする請求項３に記載のワイヤレス通信システム。
【請求項８】
前記受信器の識別手段は更に、
（a）前記第二Resetパッケージが、前記第一Reset  ACKパッケージを伝送した後、所定時間内に受信されたかをチェックする手段と、
（b）前記所定時間内に受信された前記第二Resetパッケージを破棄する手段と、からなることを特徴とする請求項３に記載のワイヤレス通信システム。
【請求項９】
前記送信器は、更に、
（a）Reset  ACKパッケージが、前記第二Resetパッケージを伝送した後、所定時間内に受信されたかをチェックする手段と、
（b）前記所定時間内に受信された前記Reset  ACKパッケージを破棄する手段と、
からなることを特徴とする請求項３に記載のワイヤレス通信システム。
【請求項１０】
少なくとも送信器と受信器を備えるワイヤレス通信システムに用いられる方法であって、前記受信器と前記送信器は、データパッケージ交換の同期化状況を監視するための多数の状態変数と第一及び第二データパッケージ連続番号とを用い、当該方法は、送信器において
（a）AM RCLリセット工程を開始する工程と、
（b）リセット連続番号と前記送信器の現在の第一データパッケージ連続番号とを備える第一Resetパッケージを、前記受信器に伝送する工程と、
（c）タイムアウト状態が生じた時、前記送信器が前記第一Resetパッケージと同じ前記リセット連続番号と前記第一データパッケージ連続番号とを備える第二Resetパッケージを伝送する工程と、
（d）前記第一Resetパッケージと対応する第一Reset ACK パッケージを、前記受信器から受信する工程と、
（e）前記第一Resetパッケージと対応する前記第二Reset ACK パッケージを、前記受信器から受信する工程と、
（f）前記第一及び第二Reset  ACKに基づいて、前記状態変数をアップデートするとともに、前記第一データパッケージ連続番号を第二データパッケージ連続番号にアップデートする工程と、
受信器において、
（g）送信器から前記第一及び第二Resetパッケージを受信する工程と、
（h） 前記送信器は、受信した前記Reset  ACK  パッケージが、前記第一或いは第二Resetパッケージに対応するかを識別する工程と、
（i）前記第一或いは前記第二Reset  ACKパッケージの識別結果に基づいて、前記状態変数をアップデートするとともに、前記第一データパッケージ連続番号を第二データパッケージ連続番号にアップデートする工程と、
（j）同じリセット連続番号と前記受信器のアップグレードされた前記第二データパッケージ連続番号とを備える、対応するReset  ACKパッケージを前記送信器に戻す工程と、からなることを特徴とする方法。
【請求項１１】
前記工程（i）は、更に、
（i１）前記第一Resetパッケージを受信する時、前記受信器は、前記状態変数と前記第一データパッケージ連続番号をアップデートする工程と、
（i２）前記第二Resetパッケージを受信する時、前記受信器は、同じ状態変数と第一及び第二データパッケージ連続番号を、前記第一Reset  パッケージを受信するのと同じ状態に維持する工程と、
からなることを特徴とする請求項１０に記載の方法。
【請求項１２】
前記工程（ｆ）は、更に、
（ｆ１）前記送信器が、前記状態変数をアップデートする工程と、
（ｆ２）受信した前記Reset  ACK  PDUに基づいて、前記送信器が、前記第一データパッケージ連続番号をアップデートする工程と、
からなることを特徴とする請求項１０に記載の方法。
【請求項１３】
前記方法は、更に、
（ｋ）前記第二Resetパッケージが、第一Reset  ACKパッケージを伝送した後、所定時間内に受信されたかをチェックする工程と、
（ｌ）前記所定時間内に受信された前記第二Resetパッケージを破棄する工程と、
からなることを特徴とする請求項１０に記載の方法
【請求項１４】
前記方法、更に、
（ｋ）Reset  ACKパッケージが、前記第二Resetパッケージを伝送した後、所定時間内に受信されたかをチェックする工程と、
（ｌ）前記所定時間内に受信された前記Reset  ACKパッケージを破棄する工程と、
からなることを特徴とする請求項１０に記載の方法。
【発明の詳細な説明】
【０００１】
【発明の属する技術分野】
本発明は、ワイヤレス通信システム（wireless  communication  system）に関するもので、特に、ワイヤレス通信環境における無線リンク制御（Radio  link  control、RLC）のリセット（reset）方法とシステムに関するものである。
【０００２】
【従来の技術】
ワイヤレス通信システムにおいて、全ての通信内容は、プロトコルデータユニット（Protocol  Data  Unit、PDU）フォーマットにパッケージされる。図１を参照すると、標準的なPDUは、多数のバイト（オクテット）からなり、多数の異なるビットサイズ領域が定義される。例えば、図１で示されるように、１ビットのD／C領域１２は、AMのPDUがデータ用或いは制御用のPDUかを示す。３ビットのPDU  TYPE領域１４は、このPDUがどの種類の制御形態なのかを示す。１ビットRSN（Reset  Sequence  Number）１６は、リセット連続番号であり、伝送されるReset  PDUの順序を示すのに用いられる。もし、このReset  PDUが、元来のReset  PDUの再伝送の場合、RSN値は元来のReset  PDUのRSNと同値になる。さもなければ、RSN値は、次のRSN値に切り替わる。RSNの初期値は０である。RLCが再構築（re−established）される時、RSN値は再初期化される。しかし、RLCの再リセットは、RLCリセット時に生じない。３ビットのR１（Reserved１）領域１８は、将来の機能のために保留される。２０ビットのHFNI（Hyper  Frame  Number  Indictor）領域２０は、送信器と受信器間の同期化を追随するHFN（Hyper  Frame  Number）即ちデータパッケージ連続番号を示すために用いられる送信器受信器。送信器は、UE（User  Equipment）或いは、UTRAN（Universal  Terrestrial  Radio  Access  Network）であり、同様に、受信器も２者のうちの一つである。通常、UEからUTRANへの伝送は、アップリンク伝送（Uplink  transmission、UL）と称され、UTRANからUEへの伝送はダウンリンク伝送（Downlink  transmission、DL）と称される。
【０００３】
図２で示されるように、一般のAM  RLCリセット工程において、送信器３０は、伝送の間、リセット工程を開始する。送信器３０は、Reset  PDU（工程３４）を受信器３２に伝送し、その後、受信器３２は、対応するRESET  ACK  PDU（工程３６）を送信器３０に戻す。リセット工程により、送信器３０と受信器３２双方のHFN数と相関する状態変数が再同期化されて、両者間でスムーズな通信が行われる。
【０００４】
図３は、RLCリセット工程の詳細で、UEを送信器４０とし、UTRANを受信器４２とする。このような構成下で、リセット状態が生じた時、送信器４０は、リセット工程を開始する。工程４４において、送信器４０がUL  HFN＝ｘ、DL  HFN＝ｙ１を備えると仮定する。同時に、受信器４２が、UL  HFN＝ｘ１、DL  HFN＝ｙを備えるとする（工程４６）。送信器４０は、HFNI＝ｘ、RSN＝０であるReset  PDUを準備する。送信器４０は、工程４８において、Reset  PDU（RSN＝０、HFNI＝ｘ）を、例えば、MAC（media  access  control）或いは物理層（Physical  layer）などの低い通信層に伝送する。低い通信層において、このReset  PDU（RSN＝０、HFNI＝ｘ）は、指定された接続チャネルにより、受信器４２へ伝送される。その後、工程５０において、送信器４０は通常のコミュニケーションチャネルにより、データの送受信を停止する。受信器４２は、一旦、特定のReset  PDU（RSN＝０、HFNI＝ｘ）を受信すると、指定された接続チャネルにより、Reset  ACK  PDU（RSN＝０、HFNI＝ｙ）を、送信器４２に戻す（工程５２）。その後、工程５４において、受信器４２は状態変数をリセットする。受信器４２は、DL  HFN＝ｙ＋１を備えるDL  AM  PDUの伝送と、UL  HFN＝ｘ＋１を備えるUL  AM  PDUの受信を開始する。受信器４２から発信されたReset  ACK  PDUを受信する時、送信器４０は状態変数をリセットすると共に、DL  HFL＝ｙ＋１を備えるUL  AM  PDUの受信と、UL  HFN＝ｘ＋１を備えるUL  AM  PDUの伝送を開始する（工程５６）。これにより、送信器４０と受信器４２のHFNは、UL  HFN＝ｘ＋１とDL  HFN＝ｙ＋１により、同期化される。
【０００５】
図４で示されるように、Reset  ACK  PDUが伝送過程で喪失し、送信器６０に受信されない可能性がある。工程６４と６６で示されるように、送信器６０はUL  HFN＝ｘ、DL  HFN＝ｙ１を備え、受信器はUL  HFN＝ｘ１、DL  HFN＝ｙを備える。工程６８において、リセット状態が生じ、よって、送信器６０は指定された接続チャネルにより、第一Reset  PDU（RSN＝０、HFNI＝ｘ）を受信器６２に伝送する。その後、送信器６０は通常のチャネルから、データの送受信を停止する（工程７０）。受信器６２は第一Reset  PDUを受信した後、工程７２において、第一Reset  ACK  PDU（RSN=０、HFNI＝ｙ）で応答する。受信器６２が対応するReset  ACK  PDU（RSN＝０及びHFNI＝ｙ）を送り出せば、受信器６２はその状態変数をリセットし、工程７８において、UL  HFN＝ｘ＋１、DL  HFN＝ｙ＋１を備えるHFNをアップデートする。しかし、戻されたReset  ACK  PDUは喪失し（工程７４）、或いは送信器６０が予設のリセットタイムアウト時間（reset  time−out）を経た後、未だACK  PDUを受信していない時、送信器６０は、工程８０で示されるように、もう一つの（第二）Reset  PDU（RSN＝０、HFNI＝ｘ）を伝送する。工程８２で示されるように、第二Reset  PDU（RSN＝０、HFNI＝ｘ）を受信した時、ｙ＋１は受信器６２中の最高HFNであるため、受信器６２は、対応するReset  ACK  PDU（この時、RSN＝０、HFNI＝ｙ＋１）を戻す。次に工程８４において、受信器６２はUL  HFN＝ｘ＋１、DL  HFN＝ｙ＋２をアップデートする。送信器６０が、第二リセットタイムアウト前に、ACK  PDU（RSN＝０、HFNI＝ｙ＋１）を受信する時、送信器６０は状態変数をリセットし、UL  HFN＝ｘ＋１、DL  HFN＝ｙ＋２を備えるデータの送受信を開始する（工程８６）。このような過程において、送信器６０と受信器６２は、通常のオペレーションを再開し、双方のHFNは同期化される。
【０００６】
しかし、対応するReset  ACK  PDUは喪失するのではなく、無線伝送の過程で、遅延するケースがある。このような遅延は、低層の伝送過程で発生する。例えば、対応するReset  ACK  PDUの論理チャネルが、伝送されるデータを備える他の論理チャネルより低い伝送優先権を備える時などである。よって、図５で示されるように、送信器９０は、予期されるReset  ACK  PDUを受信しないで、タイムアウト終了まで、リターンパイプライン（pipeline）で待機する（工程９８、１０２及び１０４）。送信器９０は、もう一つのReset  PDUを再送する（工程１０６）。しかし、送信器９０は結局、遅延したReset  ACK  PDUともう一つのReset  ACK  PDUを受信し（工程１０６、１０８及び１１４）、再送されたReset  PDUに反応し、それが無効であると判断される。この場合、送信器は無効のReset  ACK  PDUを破棄する（工程１１２）。工程１１６において、受信器９２は、UL  HFN＝ｘ＋１、DL  HFN＝ｙ＋２を備えるデータの送受信を開始しようと準備するが、しかし、送信器９０は、UL  HFN＝ｘ＋１、DL  HFN＝ｙ＋１を備えるデータの送受信を開始しようと準備する（工程１１２）。明らかに、送信器９０と受信器９２間のDL  HFNは、同期化されない。
【０００７】
【非特許文献１】
“データ・リンク・コントロール・プロトコル仕様”、２５３２２−３８０．zip、[online]、平成１３年９月、サード・ジェネレーション・パートナーシップ・プロジェクト・オーガニゼーション・パートナーズ(3rd Generation Partnership Project Organization Partners)、インターネット＜ＵＲＬ：http://www.quintillion.co.jp/3GPP/TSG_RAN/TSG_RAN_WG2_RL2_10.html＞
【０００８】
【発明が解決しようとする課題】
本発明は、先行技術が遭遇する制限及び欠点を未然に防ぐことを目的とし、AM  RLCリセット工程において、遅延したReset  PDUにより生じる問題を解決するワイヤレス通信システムを提供する。
【０００９】
【課題を解決するための手段】
本発明はワイヤレス通信システムを提供する。本システムは、少なくとも送信器及び受信器とからなる。受信器或いは送信器は、データパッケージ交換の同期化状況を監視するための複数の状態変数、第一及び第二データパッケージ連続番号を用い、前記ワイヤレス通信システムは、AM  RLCリセット工程を行う。送信器は、（a）AM RLCリセット工程を開始する手段と、（b）リセット連続番号と、前記送信器の現在の第一データパッケージ連続番号とを備える第一Resetパッケージを、前記受信器に伝送する手段と、（c）タイムアウト状態が生じた時、前記第一Resetパッケージと同じ前記リセット連続番号と、前記第一データパッケージ連続番号を備える第二Resetパッケージを伝送する手段と、（d）前記受信器から伝送された、前記第一Resetパッケージと対応するReset  ACKパッケージを受信する手段と、（e）前記受信器から伝送された、前記第二Resetパッケージと対応するReset  ACKパッケージを受信する手段と、（f）前記第一及び前記第二Reset  ACKパッケージに基づいて、前記送信器の状態変数及び前記第一データパッケージ連続番号を第二データパッケージ連続番号にアップデートする手段と、からなる。一方、受信器は、（a）前記送信器から前記第一及び前記第二Resetパッケージを受信する手段と、（b）受信した前記Resetパッケージが、前記第一或いは前記第二Resetパッケージなのかを識別する手段と、（c）前記第一或いは前記第二Resetパッケージの識別結果に基づいて、前記受信器の状態変数をアップデートするとともに、前記第一二データパッケージ連続番号を第二データパッケージ連続番号にアップデートする手段と、（d）前記指定された接続チャネルにより、前記第一Resetパッケージ中と同じ前記リセット連続番号と前記受信器中と同じ第二データパッケージ連続番号とを備える、対応するReset  ACKパッケージを、前記送信器に戻す手段と、からなる。
【００１０】
【発明の実施の形態】
上述した本発明の目的、特徴、及び長所をいっそう明瞭にするため、以下に本発明の好ましい実施の形態を挙げ、図を参照にしながらさらに詳しく説明する。
【００１１】
本発明は、余分なReset  ACK  PDUを受信することにより生じる潜在的問題を解決する方法とシステムを提供する。度重なるリトライ或いは誤った連続番号を備えるPDUを受信することにより、リセット状態が生じた場合、送信器は、AM  RLCモード下で、リセット工程を開始し、第一Reset  PDUを伝送する。タイムアウト期間が終了する時までに、対応するReset  ACK  PDUを受信していない場合、送信器は、RSNとHFNI値が第一Reset  PDUと同じである第二Reset  PDUを伝送する。従来技術で記載したように、受信器は、どのReset  PDUを受信しても、毎回、自動的に、アップデートしたHFN値を備えるReset  ACKパッケージを送り戻し、それ自身をリセットすると共に、状態変数とHFN値をアップデートする。この時、受信器の送信端のHFN（UTRANが受信器の場合、HFNはDL  HFN、UEが受信器の場合、HFNはUL  HFNである）は、２度アップデート、即ち、２回、インクリメントされる。この時、無効の第二Reset  ACK  PDUを破棄することにより、送信器は、第一ACK  PDUの値に基づいて、受信端のHFNを一度だけリセットし（UTRANが送信器の場合、HFNはUL  HFN、UEが送信器の場合、HFNはDL  HFNである）する。従って、送信器でリセットされたHFNは図５で示されるように、受信器の現在の伝送HFN値と異なる。これが、従来のAM  RLC  リセット工程において、送信器が二度のReset  ACK  PDU（一つは遅延）を受信した時、受信器と送信器が、同期化しない原因である。
【００１２】
よって、本発明は、第二Reset  ACK  PDUが、送信器と受信器とで処理される方法を改良する。図６で示されるように、受信側だけで本発明の方法による処理が行われる場合、受信器１３２が従来技術と同様に第一Reset  PDUを受信する。本発明での特徴は、受信器１３２は、受信したReset  PDUが第一或いは第二Reset  PDUなのかチェックする（工程１４４）。Reset  PDUが第一Reset  ACK  PDUである場合、受信器１３２は、先行技術と同様に状態変数をリセットし、データの送受信を開始し、HFN値をアップデートする（工程１５２）。工程１４４で第二Reset  PDUが受信されたと判断された時、受信器１３２は、第一Reset  ACK  PDUと同じHFN値とRSN値を備える第二Reset  ACK  PDUを伝送する（工程１４６）。このとき、受信器１３２は、状態変数をリセットせず、かつHFN値もアップデートしない。一旦、送信器１３０が第二Reset  ACK  PDUを受信すれば、送信器は従来技術のように、第二Reset  ACK  PDUを破棄する（工程１５４）。これにより、送信器と受信器との間のHFN値が同期化される。
【００１３】
図７は送信器の処理工程が改良された本発明の一実施形態の通信方法を示す。従来技術のように、無効の第二Reset  ACK  PDUを破棄しないで、本実施例では、送信器１６０は工程１８０で第二Reset PDUを送信した後、第一Reset PDUに対応するReset ACK PDUを受信すると、状態変数をリセットし、HFN値をアップデートする（工程１８８）。更に、送信器１６０は、第二Reset PDUに対応する第二Reset ACK PDUを受信すると、状態変数をリセットし、HFN値をアップデートする（工程１８６）。受信器１６２は、第二Reset  ACK  PDUを送信し、且つ状態変数をリセットし、HFN値をアップデートする（工程１８２、１８４）。よって、リセット工程の終了時、送信器１６０で、UL  HFN＝ｘ＋１及びDL  HFN＝ｙ＋２を備える結果、受信器端１６２も同様のUL  HFN＝ｘ＋１及びDL  HFN＝ｙ＋２を備える結果を有し、同期化の目的が達成される。
【００１４】
更に、上述の方法以外に、図８で示されるように、受信器２０２が、第一Reset  PDUに対し反応し、且つ、対応する第一Reset  ACK  PDUを生成する場合、この段階で、送信器２００と受信器２０２は、従来技術と同様に機能する。その後、従来技術と異なる点は、受信器２０２は、第一Reset  ACK  PDUを送った後の所定期間中に、第二Reset  PDUを受信したかをチェックする（工程２２２）。例えば、この所定期間は、送信器と受信器との間の、双方向の無線伝送遅延時間に対応する。受信器２０２が所定期間に、第二Reset  PDUを受信した場合、受信器２０２は第二Reset  PDUを破棄する必要がある。この理由は、タイミング的に見て、送信器２００は第二Reset  PDUを伝送する前に、第一Reset  ACK  PDUの到着を待つ十分な時間がないからである。よって、受信器２０２は第二Reset  PDUを破棄すると共に、従来技術の方法により、その他のReset  PDUを処理する（工程２２２、２２４）。所定期間中に、第二Reset  PDUを受信しなかった場合、従来技術のステップ１１４及び１１６と同様の処理が行われる。また、この場合、送信器２００側のおいては図５のステップ１１２と同じ処理が行われる。
【００１５】
上記の方法は送信器側にも適用することが出来る。図９で示されるように、送信器２４０がすでに第二Reset  PDUを伝送した（工程２５８）後、工程２６０において、送信器２４０は、第二Reset  PDUを伝送した後の所定時間内に、受信器２４２から第一Reset  ACK  PDUを受信したかを確認する。前述のように、この所定時間は、送信器２４０と受信器２４２との間の双方向の無線伝送遅延に対応する。この所定時間内に第一Reset  ACK  PDUを受信した場合、送信器２４０は、この新しく受信したReset  ACK  PDUを破棄する必要がある（工程２６４）。この理由は、タイミング的に見てこの新しく受信したReset  ACK  PDUは、第二Reset  PDUに対応していないからである。その新しく受信したReset  ACK  PDUは、受信器２４２からの第一Reset  PDUの遅延したものである。所定時間内に第一Reset  ACK  PDUを受信しなかった場合、工程２６２において、送信器２４０は、第二Reset  ACK  PDUに基づいて、状態変数をリセットすると共に、HFN値をアップデートする。その後、送信器２４０と受信器２４２は、同期化される。即ち、図９の例では、第二Reset  PDUが送信器２４０から送付されてから所定時間以内にReset  ACK  PDUを受信した場合、そのReset  ACK  PDUは破棄される。
【００１６】
本発明では好ましい実施例を前述の通り開示したが、これらは決して本発明に限定するものではなく、当該技術を熟知する者なら誰でも、本発明の精神と領域を脱しない範囲内で各種の変更を加えることができ、従って本発明の保護範囲は、特許請求の範囲で指定した内容を基準とする。
【００１７】
なお、本発明では、図６の第一実施形態と図７の第二実施形態とが組み合わされてもよい。又、図８の第三実施形態と図９の第四実施形態とが組み合わされてもよい。
【００１８】
【発明の効果】
本発明によれば、遅延したReset  PDUに関係なく送受信間の同期を得ることができるという優れた効果を奏する。
【図面の簡単な説明】
【図１】標準AM  Reset  PDUと標準Reset  ACK  PDUのデータ構造を示す図である。
【図２】正常なAM  PLCリセット工程を示すフローチャート図である。
【図３】正常なAM  PLCリセット工程を示す詳細なフローチャート図である。
【図４】第一Reset  ACK  PDUが喪失した時のAM  PLCリセット工程を示すフローチャートである。
【図５】第一Reset  ACK  PDU遅延時のAM  PLCリセット工程を示すフローチャートである。
【図６】本発明の第一実施形態による、受信側での修正後のAM  PLCリセット工程を示すフローチャートである。
【図７】本発明の第二実施形態による、伝送側での修正後のAM  PLCリセット工程を示すフローチャートである。
【図８】本発明の第三実施形態による、受信側での修正後のAM  PLCリセット工程を示すフローチャートである。
【図９】本発明の第四実施形態による、伝送側での修正後のAM  PLCリセット工程を示すフローチャートである。
【符号の説明】
１２…D／C領域
１４…PDU  TYPE領域
１６…RSN（Reset  Sequence  Number）
１８…R１（Reserved１）領域
２０…HFNI（Hyper  Frame  Number  Indictor）領域
２２…PAD
３０、６０、９０、１３０、１６０、２００、２４０…送信器
３２、６２、９２、１３２、１６２、２０２、２４２…受信器
【図１】
0003655609.tif 000002
【図２】
0003655609.tif 000003
【図３】
0003655609.tif 000004
【図４】
0003655609.tif 000005
【図５】
0003655609.tif 000006
【図６】
0003655609.tif 000007
【図７】
0003655609.tif 000008
【図８】
0003655609.tif 000009
【図９】
0003655609.tif 000010